(57)【要約】【課題】  毛髪の水分を擦って吸水除去させるだけでなく、頭髪を擦る際、毛髪の活性化と併せて頭皮を押圧して刺激を与え、マッサージ効果を得ると共に、更にイオン効果などで頭皮に対して有効な物療的保健効果を奏せしめるようにした洗髪乾燥用手袋の提供。【解決手段】  吸水性素材ａで形成される５指用袋部２および手のひら用袋部３を一体に形成した手袋本体１より成る洗髪乾燥用手袋であって、５指用袋部２の端部に小袋部４を設け、この小袋部４内に毛髪や頭皮を活性化し、刺激する各種固型物６を収納して成ることを特徴とする洗髪乾燥用手袋。【選択図】        図１
2006063469.tif 000002
【特許請求の範囲】
【請求項１】
吸水性素材で形成される５指用袋部および手のひら用袋部を一体に形成した手袋本体より成る洗髪乾燥用手袋であって、５指用袋部の端部に小袋部を設け、この小袋部内に毛髪や頭皮を活性化し、刺激する各種固型物を収納して成ることを特徴とする洗髪乾燥用手袋。
【請求項２】
固型物としては、トルマリン（電気石）、マグネットまたはチタンなどの人体に有益な固型体を単独または複合して成ることを特徴とする請求項１記載の洗髪乾燥用手袋。
【発明の詳細な説明】
【技術分野】
【０００１】
本発明は、洗髪後の水分を頭髪より有効に吸水乾燥させると共に、その清拭時に、毛髪の活性化や頭皮を適度に押圧刺激して毛髪の保健効果を得るようにした洗髪乾燥用手袋に関する。
【背景技術】
【０００２】
この種の洗髪用手袋では、タオル地を用いて５本指の指を入れる形の手袋型ハンドタオル（特許文献１参照。）や、指を入れる個処がないものや、親指と他の４指を入れるようにしたタオルが知られている（特許文献２参照。）。
【特許文献１】特開平９−３１３３９７号公報
【特許文献２】実用新案登録第３０３４７９０号公報
【発明の開示】
【発明が解決しようとする課題】
【０００３】
之等の特許文献１，２に示される先行技術は、いずれも洗髪後の水分や雨などで濡れた毛髪の水分を拭き取るために手に被せて、毛を擦って吸水乾燥させるだけである。
【０００４】
本発明は、叙上の点に着目して成されたもので、毛髪の水分を擦って吸水除去させるだけでなく、頭髪を擦る際、毛髪の活性化と併せて頭皮を押圧して刺激を与え、マッサージ効果を得ると共に、更にイオン効果などで頭皮に対して有効な物療的保健効果を奏せしめるようにした洗髪乾燥用手袋を提供することを目的としている。
【課題を解決するための手段】
【０００５】
本発明は以下の構成を備えることにより、上記課題を解決できる。
【０００６】
（１）吸水性素材で形成される５指用袋部および手のひら用袋部を一体に形成した手袋本体より成る洗髪乾燥用手袋であって、５指用袋部の端部に小袋部を設け、この小袋部内に毛髪や頭皮を活性化し、刺激する各種固型物を収納して成ることを特徴とする洗髪乾燥用手袋。
【０００７】
（２）固型物としては、トルマリン（電気石）、マグネットまたはチタンなどの人体に有益な固型体を単独または複合して成ることを特徴とする前記（１）記載の洗髪乾燥用手袋。
【発明の効果】
【０００８】
本発明によれば、全体が吸水性素材で形成され、かつ５指用袋部および手のひら部によって洗髪後の水分をドライヤーなどの温風を用いて吸水乾燥させることができる。併せて、５指用袋部に設けた小袋部内にトルマリン，マグネット，またはチタンなどの各種固型物を収納しているので、この固型物が不活性状態の毛髪に活性化を附与すると共に、吸水操作と兼ねて、頭皮を押圧して頭皮に刺激を与えることにより、毛根の活性化と血行を促進し、頭にマッサージ効果を与えて爽快感を与え、疲労回復にも役立つことができる。
【０００９】
更に、小袋部の固型物は単独または複合使用できるので、毛髪の状況、年齢に応じて選択して使用できるという効果も有する。
【発明を実施するための最良の形態】
【００１０】
以下に本発明の実施例を図面について説明する。
【実施例】
【００１１】
１は、起毛ないしパイル状の糸で織成した吸水性素材ａの手袋本体を示し、この手袋本体１の２は、５指用袋部、３は手のひら用袋部を示している。
【００１２】
この手袋本体１の５指用袋部２の手のひら側の端部には、下端を開口した小袋部４が設けられ、開口部にはマジックテープ（登録商標）やスナップ釦などの開閉体５が設けられて、小袋部４内への固型物６を出し入れ自在としている。
【００１３】
なお、固型物６としては、電気石として知られる鉱石トルマリンとか、フェライトなどの磁石、あるいはチタンなど人体に有益、有効な鉱石，原石，更には木炭などを用いることができる。
【００１４】
ことに、トルマリンは、洗髪後の吸水作用の際、手袋本体１が、毛髪と触れてトルマリンが圧力や摩擦作用を受けると、空気中の小さな電気を集約し、効率よくマイナスイオンを発生するので、毛髪に対して有効に作用し、毛髪の活性化に有効となると共に、頭皮に対しても同様の効果を発揮できる。
【００１５】
同様に磁石もまた、Ｎ極，Ｓ極で生ずる磁力線が毛髪と頭皮に作用し、物療効果を発揮し、爽快感を向上できる。
【００１６】
また、チタンはそれ自体でも、また他のセラミックスと組み合わせたチタンボールなど変形固型物などが知られ、かつ光触媒効果を奏するものとして知られており、清浄効果，抗殺菌効果，更には脱臭効果を呈するので、毛髪および頭皮の保健効果としてきわめて有効である。
【００１７】
更に又、木炭も同様に脱色された備長炭は、吸水時に脱色する虞がないので、安心して用いることができると共に、毛髪の活性化を始め、頭皮に作用してマイナスイオン効果で疲れやストレス、更には老化の防止，予防に有効である。
【００１８】
ところで、前記した５指用袋部２の端部に設けられる小袋部４は、端部からその周縁に沿って縫糸７した舌片状の布片８で形成され、下端を開口部９とし、前記各種固型物６を選択的に出入自在としてある。そして開口部９の内側には前述した通りの開閉体５が設けてあるので開閉できる。この場合、固型物６を収納した儘にして置くために開口部９を閉止しておいてもよい。
【００１９】
以上、小袋部４の構成について具体的な構成を示したが、小袋部４自体を別個に作り、これを５指用袋部２に縫合固着しても差し支えない。更に、小袋部４自体は、５指用袋部２の内側先端で、挿入された５指の先端上方個処に空間部を形成して縫合させて上記固型物６を一体的に収納封入させても良い（図示せず）。
【００２０】
更に、固型物６は、必ずしもその大きさは限定されないが、５指で頭皮を押圧する際に、必要以上に頭皮に圧力が掛からないように、角部のない固型物の方が好ましい。これにより、緩やかなマッサージ効果を与えることができる。
【００２１】
本発明の実施例によれば、ドライヤーを用い、または用いなくても洗髪後の濡れた毛髪を有効に乾燥させることができると共に、固型物の物療効果によって毛髪，頭皮の活性化に役立つと共に、指圧効果で固型物が頭皮に作用するので、毛根を始め、頭部の血液の血行を良くし、健康の増進に有効に作用する。
【図面の簡単な説明】
【００２２】
【図１】本発明の一実施例を示す、手のひら側から見た平面図
【図２】図１の要部，５指用袋部の小袋部の拡大断面図を示し、（ａ）は開口状態、（ｂ）は閉止状態を示す
【符号の説明】
【００２３】
ａ  吸水性素材
１  手袋本体
２  ５指用袋部
３  手のひら用袋部
４  小袋部
６  固型物
【図１】
2006063469.tif 000003
【図２】
2006063469.tif 000004